(57)【特許請求の範囲】
【請求項１】
前身ごろと、後身ごろと、長袖状の袖部と、前身ごろどうしを前側で連結するスライドファスナとを備え、前記袖部は表地と、該表地に対応する裏地とを備える衣服において、
前記表地のうち袖部の幅方向外側であって肩部から丈方向に亘る部分が、伸縮可能な表地側伸縮部で形成され、前記裏地の一部であって袖部の丈方向途中において着用者の肘に対応する部分のみが、伸縮可能な裏地側伸縮部で形成され、
該裏地側伸縮部は、前記袖部を構成する裏地のうち袖部の丈方向両側に分割された部分の間に配設され、裏地側伸縮部は筒状に形成されていることを特徴とする衣服。
【請求項２】
裏地側伸縮部は丈方向に伸縮可能であることを特徴とする請求項１記載の衣服。
【請求項３】
裏地側伸縮部はトリコット素材であり、その起毛面を表地側に配置するよう設けられていることを特徴とする請求項１または請求項２に記載の衣服。
【発明の詳細な説明】
【技術分野】
【０００１】
本発明は、魚釣り用衣服等の衣服に関する。
【背景技術】
【０００２】
一般に、釣行での釣人は状況に応じて姿勢を変化させたり、移動したりすることが頻繁に行われる。このため、例えば特許文献１に示すように、人体の着用する衣服の動きが激しい部分の生地として、伸縮性に富んだ素材を用いているものがある。
また、防寒性や防水性を要求される衣服では、一般に表地と裏地とを備えており、このような衣服では、上記のような伸縮性に富む素材を表地に設けることもある。
【特許文献１】特開２０００−１４２９９号公報
【発明の開示】
【発明が解決しようとする課題】
【０００３】
上記従来の衣服においては、伸縮性に富む素材を表地に設けているが、裏地には設けていない。ところが実際には、衣服の動きが激しい部分の表地に伸縮性に富む素材を設けていたとしても、裏地が伸縮しなければ裏地の緊張が着用者に伝わり表地が伸縮したとしても、着用者には抵抗感（突っ張り感）を与える結果となり、着用者の動きの妨げとなっていた。
【０００４】
そこで、本発明は上記課題に鑑み、着用者の動きの妨げを抑制できる衣服の提供を目的とする。
【課題を解決するための手段】
【０００５】
本発明は、前身ごろと、後身ごろと、長袖状の袖部と、前身ごろどうしを前側で連結するスライドファスナとを備え、前記袖部は表地と、該表地に対応する裏地とを備える衣服において、前記表地のうち袖部の幅方向外側であって肩部から丈方向に亘る部分が、伸縮可能な表地側伸縮部で形成され、前記裏地の一部であって袖部の丈方向途中において着用者の肘に対応する部分のみが、伸縮可能な裏地側伸縮部で形成され、該裏地側伸縮部は、前記袖部を構成する裏地のうち袖部の丈方向両側に分割された部分の間に配設され、裏地側伸縮部は筒状に形成されていることを特徴としている。
【０００６】
上記構成によれば、衣服の着用者側の裏地の裏地側伸縮部が着用者の動作に応じて伸縮し、裏地側伸縮部に対応する表地側伸縮部も伸縮するから、着用者に抵抗感（突っ張り感）を与えるのが抑制され、着用者の動きの妨げを抑制して使用感の良好な衣服となる。
また、着用者の肘の動きに応じて裏地側伸縮部が伸縮するから、肘の動きの妨げを抑制して使用感の良好な衣服となる。
また、筒状の裏地側伸縮部により、頻繁に且つ複雑に動作される肘の動きに対応して裏地側伸縮部が伸縮するから着用者の肘の動作の妨げを抑制するようになる。
さらに、一般に、表地と裏地とを備えた衣服において裏地は着用者の人体が滑り易い生地で形成されることが好ましい。しかしながら、伸縮可能な生地はニットで形成されることが一般であるから、その分だけ生地自体の摩擦力は大きくなる。そこで、裏地側伸縮部を、袖の丈方向途中において着用者の肘に対応する部分のみに設けることにより、裏地の滑り易さを確保しつつ肘の動作の妨げを抑制するようになる。
【００１３】
本発明の衣服では、裏地側伸縮部は丈方向に伸縮可能であることを特徴としている。
上記構成において、人体の動作として肘を曲げることが頻繁に行われるが、裏地側伸縮部が丈方向に伸縮可能であることで、裏地側伸縮部がこれらの人体の動作の妨げを抑制する。
【００１４】
本発明の衣服では、裏地側伸縮部はトリコット素材であり、その起毛面を表地側に配置するよう設けられていることを特徴としている。
裏地側伸縮部にトリコット素材を設け、その起毛面を表地側とした裏使いをすることで表地との間で保温性を高めることができる。しかも起毛面は滑りにくいからこれを表地側に配置することで起毛面の反対側の面と人体側との間では滑り易さを確保しており、且つ起毛面の反対側の面、すなわち人体側から適度に空気が抜けることで、裏地と表地との間の空気層の厚みが調節されて、良好な装着性を確保することができる。
【発明の効果】
【００１６】
本発明によれば、表地に伸縮可能な表地側伸縮部を設けるとともに、裏地の表地側伸縮部に対応する一部または全部の領域に、伸縮可能な裏地側伸縮部を設けているから、衣服の着用者側である裏地の裏地側伸縮部が着用者の動作に応じて伸縮し、このとき裏地側伸縮部に対応する表地側伸縮部も伸縮するようになるから、着用者にその動作時に抵抗感を与えるのを抑制して、着用者の動きの妨げを抑制することができ、使用感の良好な衣服とすることができる。
【発明を実施するための最良の形態】
【００１７】
以下、本発明に係る衣服の実施形態を、図１ないし図７に基づいて説明する。これらの図に示す衣服は、主として釣行の際などに着用される防寒用の上衣ＷおよびズボンＰである。なお、この実施形態の衣服では、上衣ＷとズボンＰとがセパレート型となっているが、上衣ＷとズボンＰとが一体となっているつなぎ型の衣服にも適用可能である。
【００１８】
ここで、図１ないし図４に基づいて上衣Ｗの構成を説明する。図１に示すように、この防寒用の上衣Ｗは長袖タイプであり、左右一対の前身ごろ１，１と、後身ごろ２と、長袖状の両袖部３，３と、首部７を備えている。前身ごろ１，１どうしを前側で連結する前合わせ部４は、スライドファスナ２０を備えており、このスライドファスナ２０によって両前身ごろ１，１どうしを連結、離反させることができ、両前身ごろ１，１と後身ごろ２とで胴部５が形成される。
【００１９】
かかる上衣Ｗは、これらの図に実線と破線とで示すように、表地１０と裏地９とから多層構造となっている。裏地９は胴部５のみならず袖部３にも設けられており、表地１０の裏側略全体を覆っている。表地１０は全体として防水性を有することが好ましい。
【００２０】
裏地９は所定の通気性を有する織物であることが好ましく、例えば、ポリエステルの生地が使用され、特に、５０デニール×７５デニールのものが好ましい。裏地９の外面、すなわち着用者の人体２１（仮想線で示している）側の面は、ステンレスやチタン等の物理蒸着処理が施されることが好ましく、特にチタンのスパッタリング加工が蓄熱、輻射の点で好ましい。また、生地を熱加工することにより生地を目詰まり状にし、生地の透気度を低下させることによって、いっそう効果を向上させることができる。したがって、その生地を裏地９として使用すれば、通気性の低下と蓄熱、輻射で保温性を向上させることができる。
【００２１】
裏地９は、複数のパーツを縫着により一枚に連結されている。裏地９は、両袖口６，６と首部７と裾部８、並びに前合わせ部４において、それぞれ表地１０と縫着により連結されており、それ以外の箇所においては表地１０とは連結されずに離反可能な状態にある。
【００２２】
本発明の実施形態にかかる上衣Ｗ（衣服）では、着用者の動作に応じて伸縮してその動作を妨げないよう表地１０の一部に表地側伸縮部３０が設けられ、裏地９の一部に裏地側伸縮部３１が設けられている。
【００２３】
裏地側伸縮部３１は表地側伸縮部３０に対応する領域の一部に設けられている。表地１０の一部に表地側伸縮部３０が設けられているとは、表地１０の一部を表地側伸縮部３０としているという意味であり、裏地９の一部に裏地側伸縮部３１が設けられているとは、裏地９の一部を裏地側伸縮部３１としているという意味であり、何れの伸縮部も伸縮性に富む生地である。
【００２４】
特に、裏地側伸縮部３１としてトリコット素材を用いてその起毛面を表地１０側（人体２１の反対側）に対向させる裏使いをするように構成されている。このようにすれば、裏地側伸縮部３１が編み物であっても防寒着として保温性に優れ、しかも人体２１側はトリコット素材の起毛面の反対側であるから人体２１側との間での摩擦力が大きくなるのを抑えることができる。
さらに、トリコット素材において起毛面の反対側の面、すなわち人体側から適度に空気が抜けることで、裏地１０と表地９との間の空気層の厚みが調節されて、良好な装着性を確保することができる。
【００２５】
表地１０の表地側伸縮部３０は複数のパーツを縫着することで構成されている。すなわち、表地１０の表地側伸縮部３０は、表地側袖伸縮部３２、表地側胴伸縮部３３、および表地側肩伸縮部３４から構成されている。
【００２６】
表地側伸縮部３０のうち、表地側袖伸縮部３２は、袖部３の幅方向外側であって上衣Ｗの肩部から丈方向に亘って設けられている。表地側袖伸縮部３２は丈方向に一定幅の帯状に形成され、肩部でやや広幅に形成されている。表地側袖伸縮部３２は、両袖部３，３のそれぞれの一部を構成する部分として、少なくとも丈方向（図の矢印ａ参照）に伸縮できるようになっている。
両袖部３，３の表地１０において、表地側袖伸縮部３２の内側（胴部５側）は非伸縮性の表地１０３から構成されている。
【００２７】
表地側伸縮部３０のうち、表地側胴伸縮部３３は、一方の前身ごろ（この場合、左前身ごろ１）と後身ごろ２の脇腹部に亘って設けられている。具体的に、表地側胴伸縮部３３は、胴部の脇腹部に丈方向に設けられ、胴部５の一部を構成する部分として、少なくとも胴回り方向（図の矢印ｂ参照）に伸縮できるようになっている。
なお、表地側胴伸縮部３３は、他方の前身ごろ（右前身ごろ１）に、同様にして設けることも可能である。
【００２８】
表地側伸縮部３０のうち、表地側肩伸縮部３４は、胴部５の両表地側袖伸縮部３２の上部の延長上で、且つ表地側胴伸縮部３３の上部の延長上に連続した形態で設けられている。また、表地側肩伸縮部３４は、両前身ごろ１，１および後身ごろ２に亘って設けられている。表地側肩伸縮部３４は、少なくとも左右方向である肩幅方向（図の矢印ｃ方向参照）に伸縮できるようになっている。さらに、表地側肩伸縮部３４は、その前身ごろ１，１側（前合わせ部４）において左側、右側に分離されており、表地側肩伸縮部３４は、その上部が下部に比べて胴回り方向に広くなっている。
胴部５において、表地側胴伸縮部３３および表地側肩伸縮部３４以外の部分は非伸縮性の表地１０５で構成されている。
【００２９】
上衣Ｗの表地１０を構成する表地側袖伸縮部３２、表地側胴伸縮部３３、および表地側肩伸縮部３４に一方向にのみ伸縮する生地で構成する場合で、それぞれの伸縮方向を装着者の人体２１の動きに最適となる一方向に設定する場合では、表地側袖伸縮部３２、表地側胴伸縮部３３、および表地側肩伸縮部３４をそれぞれ単一あるいは複数のパーツとして互いを最適となる方向に伸縮するよう縫着することで容易に形成することができる。
【００３０】
表地側袖伸縮部３２、表地側胴伸縮部３３、および表地側肩伸縮部３４を多方向に伸縮する生地で構成する場合では、全ての伸縮部を一枚ものとして扱うことが可能であればそれでよく、縫製の都合上、一枚ものとして扱うことが困難な場合では、この実施形態のように、伸縮部を複数のパーツに分割してこれらを互いに肩部や胸部等の位置で、縫着部Ａ１を介して縫着することで構成するようにする。
【００３１】
裏地側伸縮部３１は、この実施形態では袖部５にのみ設けられている。裏地側伸縮部３１は、袖部５の丈方向途中で、装着者の肘２１Ａに対応する部分に設けられている。裏地側伸縮部３１は生地を筒状にして合わせ面どうしを縫着することで形成されている。裏地側伸縮部３１はそれによって丈方向両側に分割される裏地９と、丈方向両側で縫着部３５，３６を介して縫着されて、袖部５の裏地９の一部を構成している。
このように、袖部５の表地側伸縮部として表地側袖伸縮部３２が袖部５の丈方向全域に亘っているのに対して、裏地側伸縮部３１は、丈方向全域ではなくその一部を占める肘２１Ａに対応する丈方向の領域のみに設けられている。そして、裏地側伸縮部３１の伸縮できる方向は、表地側袖伸縮部３２と同様に丈方向（図の矢印ｄ方向）である。
【００３２】
上記構成において、着用者が上衣Ｗを着用して肘２１Ａを曲げると、裏地９において、肘２１Ａに対応する領域には裏地側伸縮部３１があって、裏地側伸縮部３１は袖部５の丈方向に伸縮することができるから、肘２１Ａを曲げる動作に伴って裏地９に働く張力は、裏地側伸縮部３１が伸張することで吸収され、裏地９においては着用者の動作の妨げになることを抑制できる。
表地１０においては、肘２１Ａに対応する領域を含む丈方向には丈方向に伸縮できる表地側袖伸縮部３２があり、肘２１Ａを曲げる動作に伴って表地１０に働く張力は、表地側袖伸縮部３２が伸張することで吸収される。
よって、裏地９および表地１０の双方で袖部３に働く張力は吸収されることになるから、着用者にその動作時に、着用者の動きの妨げを抑制することができ、生地による抵抗感を与えるのを抑制して、使用感の良好な上衣Ｗとなる。
【００３３】
上衣Ｗの裏地９において、これは表地１０よりも人体２１側にあるから、人体２１側との摩擦はできるだけ小さくして人体２１の動きの妨げとならないことが好ましい。そこで、裏地９は織物とすることが行われる。
【００３４】
裏地側伸縮部３１は、丈方向全域ではなくその一部を占める肘２１Ａに対応する丈方向の領域のみに設けられて、できるだけ丈方向には少ない領域を占めるようにしているから、例えば裏地側伸縮部３１にトリコット素材等のニットを設けてそれを裏使いした場合、その摩擦力が他の領域の裏地９に比べて大く、装着者はその肘２１Ａを伸ばしたり曲げたりすることで装着者の腕と裏地９とは丈方向で相対的に移動したとしても、肘２１Ａを含む腕全体は袖部３の裏地９から大きな摩擦力を受けることを抑制できる。
【００３５】
次に、ズボンＰの構成について、図５ないし図７に基づいて説明する。ズボンＰも上衣Ｗと同様に、図の実線と破線とで示すように、表地１０と裏地９とから多層構造となっている。裏地９は臀部を含む腰周り部５０のみならず脚部５１にも設けられており、表地１０の裏側略全体を覆っている。表地１０は全体として防水性を有することが好ましい。
【００３６】
裏地９は、複数のパーツを縫着により一枚に連結されている。裏地９は、脚部５１の両裾口５２，５２と腰周り部５０の履き口５３において、それぞれ表地１０と縫着により連結されており、それ以外の箇所においては表地１０とは連結されずに離反可能な状態にある。
【００３７】
本発明の実施形態にかかるズボンＰでは、着用者の動作に応じて伸縮してその動作を妨げないよう表地１０の一部に表地側伸縮部５４が設けられ、裏地９の一部に裏地側伸縮部５５が設けられている。
【００３８】
裏地側伸縮部５５は、表地側伸縮部５４に対応する領域の一部に設けられている。表地１０の一部に表地側伸縮部５４が設けられているとは、表地１０の一部を表地側伸縮部５４としているという意味であり、裏地９の一部に裏地側伸縮部５５が設けられているとは、裏地９の一部を裏地側伸縮部５５としているという意味であり、何れの伸縮部も伸縮性に富む生地である。
特に、裏地側伸縮部５５としてトリコット素材を用いてその起毛面を表地１０側（人体２１の反対側）に対向させるように構成されている。このようにすれば、裏地側伸縮部５５が編み物であっても防寒着として保温性に優れ、しかも人体２１側との間での摩擦力が大きくなるのを抑えることができる。
【００３９】
ズボンＰにおける裏地９は、人体２１の脚２１Ｂ、腰２１Ｈを丈方向および周方向で覆うものであり、前側裏地９Ａと後側裏地９Ｂとを左右方向端部どうしで丈方向に縫着してなる。
表地１０の表地側伸縮部５４は、複数のパーツを縫着することで構成されている。すなわち、表地１０の表地側伸縮部５４は、腰周り部５０の略後半分を占める表地側臀伸縮部５６と、人体２１の膝２１Ｃに対応する表地側膝伸縮部５７と、表地側膝伸縮部５７の下方全部の領域で人体２１の脛２１Ｄに対応する（覆う）表地側脛伸縮部５８と、表地側臀伸縮部５６の下方に膝後側の非伸縮性の表地１０Ａを介して設けられ且つ表地側脛伸縮部５８の後側の全域に設けられて人体２１の脹脛２１Ｅに対応する表地側脹脛伸縮部６０とから構成されている。
表地側膝伸縮部５７の後側に対応する前記表地１０Ａは、表地側膝伸縮部５７に対応する領域を含んで表地側膝伸縮部５７に比べて丈方向に長く形成されている。
【００４０】
表地側臀伸縮部５６の前側で表地側膝伸縮部５７の上側の領域には、人体２１の下腹２１Ｆおよび太股２１Ｇに対応する非伸縮性の表地１０Ｂが設けられて、この表地１０Ｂは、表地側臀伸縮部５６に側部の縫着部５６ａによって縫着されるとともに、表地１０Ｂはその下部である丈方向途中において表地側膝伸縮部５７と縫着部５７ａによって縫着されている。
【００４１】
なお、表地側臀伸縮部５６と表地１０Ｂの上部とで腰周り部５０の全周を構成している。また、表地側脛伸縮部５８と表地側脹脛伸縮部６０とでズボンＰの裾に近い側の下部の全周を構成している。
【００４２】
表地側膝伸縮部５７は、その上辺を丈方向上方に向けて凸となるよう湾曲して形成され、その下辺を丈方向下方に向けて凸となるよう湾曲して形成されている。また、表地側脹脛伸縮部６０は、その下辺を丈方向下方に向けて凸となるよう湾曲して形成されている。
【００４３】
表地側臀伸縮部５６は丈方向（図の矢印ｄ参照）に伸縮できるものであり、表地側膝伸縮部５７は丈方向（図の矢印ｅ参照）に伸縮できるものであり、表地側脛伸縮部５８および表地側脹脛伸縮部６０は、図の矢印ｆで示す幅方向（周方向）に伸縮できるものである。
【００４４】
脚部５１を構成する裏地９において、表地側膝伸縮部５７に対応する領域のみに裏地側膝伸縮部６１が設けられている。この裏地側膝伸縮部６１は、前側裏地９Ａの丈方向途中で膝２１Ｃに対応する領域に設けられている。
すなわち裏地側膝伸縮部６１は、その丈方向両側を縫着部６１ａによって前側裏地９Ａに縫着され、幅方向両側を縫着部６１ｂによって後側裏地９Ｂに縫着されている。
【００４５】
裏地側膝伸縮部６１の上辺は丈方向上方に凸となるよう湾曲して形成され、裏地側膝伸縮部６１の下辺は丈方向下方に凸となるよう湾曲して形成されている。裏地側膝伸縮部６１は、表地側膝伸縮部５７と同等か小さい面積とされている。なお、裏地側膝伸縮部６１は表地側膝伸縮部５７と同様に、丈方向（図の矢印ｅ参照）に伸縮できるものである。
【００４６】
裏地９において、腰周り部５０の履き口５３に近い側で、人体２１の腰２１Ｈに対応する領域に、裏地側腰伸縮部６２が設けられている。裏地側腰伸縮部６２の上側には表地１０および裏地９を合わせて腰周り方向に伸縮自在な絞り部６３が設けられている。
【００４７】
裏地側腰伸縮部６２は、表地側臀伸縮部５６に比べてかなり小さな面積の帯状に形成されて、その四方を裏地９に縫着部６２ａによって縫着されている。この裏地側腰伸縮部６２は丈方向（図の矢印ｇ参照）に伸縮できるものである。腰周り部５０における裏地側腰伸縮部６２以外の裏地９は非伸縮性の生地である。
【００４８】
上記ズボンＰの構成において、着用者がズボンＰを着用して、膝２１Ｃを屈伸する動作をすると、脚部５１には、膝２１Ｃに対応する裏地９として丈方向に伸縮できる裏地側膝伸縮部６１があるから、膝２１Ｃの屈伸動作に伴って裏地側膝伸縮部６１が伸縮することになり、人体２１の膝２１Ｃの屈伸運動の妨げにならない。
加えて裏地側膝伸縮部６１の表側には表地側膝伸縮部５７があるからこれも伸縮し、したがって防寒機能を確保しつつ膝２１Ｃの運動の妨げになるのを抑制することができる。
【００４９】
着用者の人体２１の腰２１Ｈの前屈運動において、腰周り部５０の裏地９には裏地側腰伸縮部６２があり、これは腰２１Ｈの運動に応じて丈方向に伸縮するから前屈運動の際の妨げにならず、しかも腰周り部５０の表地１０には、その略後半分を占める比較的大きな面積の表地側臀伸縮部５６があるから、裏地側腰伸縮部６２が表地側臀伸縮部５６に比べてかなり小さな面積であっても腰２１Ｈの屈伸運動を妨げるのを抑制することができる。
この腰周り部５０の裏地９の裏地側腰伸縮部６２は、腰を屈めたり伸ばしたりする動作の妨げを抑制するのみならず、着用者が膝２１Ｃの屈伸運動をした際にもその動作とともに裏地側腰伸縮部６２が伸縮するようになって、使用感が極めて良好になる。
【００５０】
上記のように、裏地９に、人体２１の運動に応じて伸縮する伸縮部を設け、且つ表地１０にも裏地側伸縮部に対応する領域に表地側伸縮部を設けたことにより、人体２１が動作した際に、その動作方向に応じて裏地９、表地１０の一部が伸縮するから、人体２１が体感する拘束感を抑えることができ、着心地のよい衣服となる。
【００５１】
しかも、裏地９における裏地側伸縮部を、表地１０の表地側伸縮部に比べて小さな面積とすることで、仮に裏地側伸縮部の摩擦が裏地側伸縮部の他の裏地９に比べて大きかったとしても人体２１側との摩擦が極力抑えられるようになるから、裏地９が人体２１側へまとわりつき易いといった現象を回避することができ、着心地のよい衣服となる。
【図面の簡単な説明】
【００５２】
【図１】本発明の実施形態にかかる上衣を示す着用状態での正面図
【図２】同じく背面図
【図３】同じく側面図
【図４】同じく人体の肘の部分での平面断面図
【図５】同じくズボンの着用状態での背面側からの斜視図
【図６】同じく正面側からの斜視図
【図７】同じく人体の膝の部分での平面断面図
【符号の説明】
【００５３】
１…前身ごろ、３…袖部、５…胴部、９…裏地、９Ａ…前側裏地、９Ｂ…後側裏地、１０…表地、１０Ａ…表地、１０Ｂ…表地、２１…人体、２１Ａ…肘、２１Ｃ    …膝、２１Ｈ      …腰、３０…表地側伸縮部、３１…裏地側伸縮部、３２…表地側袖伸縮部、３３…表地側胴伸縮部、３４…表地側肩伸縮部、５０…腰周り部、５１…脚部、５４…表地側伸縮部、５５…裏地側伸縮部、５６…表地側臀伸縮部、５７…表地側膝伸縮部、５８…表地側脛伸縮部、６０…表地側脹脛伸縮部、６１…裏地側膝伸縮部、６２…裏地側腰伸縮部、Ｐ…ズボン、Ｗ…上衣
【図１】
0005036434.tif 000002
【図２】
0005036434.tif 000003
【図３】
0005036434.tif 000004
【図４】
0005036434.tif 000005
【図５】
0005036434.tif 000006
【図６】
0005036434.tif 000007
【図７】
0005036434.tif 000008